(57)【要約】【課題】  容易な構成で、投写面に投写される投写映像を、矩形に近づけることを可能とする投写型映像表示装置を提供することを目的とする。【解決手段】  本発明の投写型映像表示装置１００は、光源１１４と、光源から出射される光を変調する光変調素子５００と、光変調素子から出射される光を投写面上に投写する投写ユニット１５０とを収容する筐体２００を備えており、投写面３００と略平行な第１配置面４２０に沿って配置可能なものである。投写型映像表示装置の筐体２００は、第１配置面４２０に対向する投写面側側壁２１０を有すると共に、投写面側側壁から第１配置面までの距離を設定する投写距離設定部７００が設けられる。【選択図】          図６
2010276863.tif 000002
【特許請求の範囲】
【請求項１】
光源と、前記光源から出射される光を変調する光変調素子と、前記光変調素子から出射される光を投写面上に投写する投写ユニットとを収容する筐体を備えており、前記投写面と略平行な第１配置面に沿って配置可能な投写型映像表示装置であって、
前記筐体は、前記第１配置面に対向する投写面側側壁を有すると共に、前記投写面側側壁から前記第１配置面までの距離を設定する投写距離設定部が設けられることを特徴とする投写型映像表示装置。
【請求項２】
請求項１記載の投写型映像表示装置において、
前記投写距離設定部は、前記筐体の幅方向において可及的に離れた位置に設けられた複数個の部材を有することを特徴とする投写型映像表示装置。
【請求項３】
請求項１記載の投写型映像表示装置において、
前記投写距離設定部は、前記投写面側側壁から前記第１配置面へ向けて延伸可能な延伸部材を有することを特徴とする投写型映像表示装置。
【発明の詳細な説明】
【技術分野】
【０００１】
本発明は、光源と、光源から出射される光を変調する光変調素子と、光変調素子からから出射される光を投写面上に投写する投写ユニットとを備える投写型映像表示装置に関する。
【背景技術】
【０００２】
近年、レーザ光源などの固体光源と、固体光源から出射される光を変調する光変調素子と、光変調素子から出射される光を投写面上に投写する投写ユニットとを収容する筐体を有する投写型映像表示装置が知られている。
【０００３】
ここで、投写面上に映像を大きく表示するためには、投写ユニットと投写面との距離を長くとる必要がある。これに対して、投写ユニットから出射される光を投写面側に反射する反射ミラーを利用して、投写ユニットと投写面との距離の短縮を図った投写型映像表示システムが提案されている（例えば、特許文献１）。
【０００４】
また、ＣＣＤにより投写映像を撮像し、スクリーンに投写される映像が矩形となるように脚部に調整機構を備える投写型映像表示装置も提案されている（例えば、特許文献２）。
【先行技術文献】
【特許文献】
【０００５】
【特許文献１】特開２００６−２３５５１６号公報
【特許文献２】特開２００６−３５０１７４号公報
【発明の概要】
【発明が解決しようとする課題】
【０００６】
ところで、投写ユニットと投写面との距離の短縮を図った投写型映像表示装置では、投写面であるスクリーンに対して、高い設置精度が要求される。
【０００７】
そこで、本発明は、上述した課題を解決するためになされたものであり、投写型映像表示装置の筐体形状を利用して、容易な構成で、投写面に投写される投写映像を、矩形に近づけることを可能とする投写型映像表示装置を提供することを目的とする。
【課題を解決するための手段】
【０００８】
第１の特徴に係る投写型映像表示装置は、光源（固体光源１１１）と、前記光源から出射される光を変調する光変調素子（ＤＭＤ５００）と、前記光変調素子から出射される光を投写面（投写面３００）上に投写する投写ユニット（投写ユニット１５０）とを収容する筐体（筐体２００）を備える。投写型映像表示装置は、前記投写面と略平行な第１配置面（壁面４２０）に沿って配置される。前記筐体は、前記第１配置面に対向する投写面側側壁（投写面側側壁２１０）を有する。前記筐体は、前記投写面側側壁から前記第１配置面までの距離を設定する投写距離設定部（投写距離設定部７００）が設けられる。
【０００９】
第１の特徴において、前記投写距離設定部は、前記筐体の幅方向において可及的に離れた位置に設けられた複数個の部材（例えば、延伸部材７１０、７２０）を有する。
【００１０】
第１の特徴において、前記投写距離設定部は、前記投写面側側壁から前記第１配置面へ向けて延伸可能な延伸部材（例えば、延伸部材７１０、７２０）を有する。
【発明の効果】
【００１１】
本発明によれば、容易な構成で、投写面に投写される投写映像を、矩形に近づけることを可能とする投写型映像表示装置を提供することができる。
【図面の簡単な説明】
【００１２】
【図１】第１実施形態に係る投写型映像表示装置１００の構成を示す図である。
【図２】第１実施形態に係る投写型映像表示装置１００を側方から見た図である。
【図３】第１実施形態に係る投写型映像表示装置１００を上方から見た図である。
【図４】第１実施形態に係る光源ユニット１１０の構成を示す図である。
【図５】第１実施形態に係る色合成分離ユニット１４０及び投写ユニット１５０の構成を示す図である。
【図６】第１実施形態に係る投写距離設定部７００の構成を示す図である。
【図７】変形例１に係る投写型映像表示装置１００を示す斜視図である。
【図８】変形例１に係る投写距離設定部７００の構成を示す図である。
【発明を実施するための形態】
【００１３】
以下において、本発明の実施形態に係る投写型映像表示装置について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
〔実施形態の概要〕
本実施形態に係る投写型映像表示装置は、光源と、光源から出射される光を変調する光変調素子と、光変調素子から出射される光を投写面上に投写する投写ユニットとを収容する筐体を備えており、投写面と略平行な第１配置面に沿って配置可能なものである。この筐体は、第１配置面に対向する投写面側側壁を有すると共に、投写側面側壁から第１配置面までの距離を設定する投写距離設定部が設けられる。
【００１６】
本実施の形態では、投写距離設定部が第１配置面に接するように、投写型映像表示装置を第１配置面に対して設置することにより、第１配置面に設けられた投写面の寸法を任意に変更することができる。逆に、所定の寸法の投写面が設けられている場合、投写面の寸法に合うように、投写距離設定部にて、投写型映像表示装置から第１配置面までの距離を調整すればよい。
【００１７】
加えて、投写距離設定部は、筐体の幅方向において可及的に離れた位置に設けられた複数個の部材を有する。したがって、投写型映像表示装置と第１配置面との平行度を、精度良く設定しやすい。また、投写距離設定部は、筐体から第１配置面へ向けて延伸可能な延伸部材を有する。したがって、容易な構成で、投写面側側壁から第１配置面までの距離を設定することができる。
【００１８】
〔第１実施形態〕
（投写型映像表示装置の構成）
以下において、第１実施形態に係る投写型映像表示装置の構成について、図面を参照しながら説明する。図１は、第１実施形態に係る投写型映像表示装置１００を示す斜視図である。図２は、第１実施形態に係る投写型映像表示装置１００を側方から見た図である。
【００１９】
図１及び図２に示すように、投写型映像表示装置１００は、筐体２００を有しており、投写面３００に映像を投写する。投写型映像表示装置１００は、第１配置面（図２に示す壁面４２０）と第１配置面に略垂直な第２配置面（図２に示す床面４１０）とに沿って配置される。
【００２０】
ここで、第１実施形態では、投写型映像表示装置１００が壁面に設けられた投写面３００に映像光を投写するケースについて例示する（壁面投写）。このようなケースにおける筐体２００の配置を壁面投写配置と称する。第１実施形態では、投写面３００と略平行な第１配置面は壁面４２０である。
【００２１】
第１実施形態では、投写面３００に平行な水平方向を“幅方向”と称する。投写面３００の法線方向を“奥行き方向”と称する。幅方向及び奥行き方向の双方に直交する方向を“高さ方向”と称する。
【００２２】
筐体２００は、略直方体形状を有する。奥行き方向における筐体２００のサイズ及び高さ方向における筐体２００のサイズは、幅方向における筐体２００のサイズよりも小さい。奥行き方向における筐体２００のサイズは、反射ミラー（図２に示す凹面ミラー１５２）から投写面３００までの投写距離と略等しい。幅方向において、筐体２００のサイズは、投写面３００のサイズと略等しい。高さ方向において、筐体２００のサイズは、投写面３００が設けられる位置に応じて定められる。
【００２３】
具体的には、筐体２００は、投写面側側壁２１０と、前面側側壁２２０と、底面板２３０と、天板２４０と、第１側面側側壁２５０と、第２側面側側壁２６０とを有する。
【００２４】
投写面側側壁２１０は、投写面３００と略平行な第１配置面（第１実施形態では、壁面４２０）と対向する板状の部材である。前面側側壁２２０は、投写面側側壁２１０の反対側に設けられた板状の部材である。底面板２３０は、投写面３００と略平行な第１配置面以外の第２配置面（第１実施形態では、床面４１０）と対向する板状の部材である。天板２４０は、底面板２３０の反対側に設けられた板状の部材である。第１側面側側壁２５０及び第２側面側側壁２６０は、幅方向において筐体２００の両端を形成する板状の部材である。
【００２５】
筐体２００は、光源ユニット１１０と、電源ユニット１２０と、冷却ユニット１３０と、色分離合成ユニット１４０と、投写ユニット１５０とを収容する。投写面側側壁２１０は、投写面側凹部１６０Ａ及び投写面側凹部１６０Ｂを有する。前面側側壁２２０は、前面側凸部１７０を有する。天板２４０は、天板凹部１８０及び投写面側遮光板８００を有する。第１側面側側壁２５０は、ケーブル端子１９０を有する。
【００２６】
光源ユニット１１０は、複数の固体光源（図４に示す固体光源１１１）によって構成されるユニットである。各固体光源は、ＬＤ（Ｌａｓｅｒ  Ｄｉｏｄｅ）などの光源である。第１実施形態では、光源ユニット１１０には、赤成分光Ｒを出射する赤固体光源（図４に示す赤固体光源１１１Ｒ）、緑成分光Ｇを出射する緑固体光源（図４に示す緑固体光源１１１Ｇ）、青成分光Ｂを出射する青固体光源（図４に示す青固体光源１１１Ｂ）を有する。光源ユニット１１０の詳細については後述する（図４を参照）。
【００２７】
電源ユニット１２０は、投写型映像表示装置１００に電力を供給するユニットである。例えば、電源ユニット１２０は、光源ユニット１１０及び冷却ユニット１３０に電力を供給する。
【００２８】
冷却ユニット１３０は、光源ユニット１１０に設けられた複数の固体光源を冷却するユニットである。具体的には、冷却ユニット１３０は、各固体光源を載置する冷却ジャケット（図４に示す冷却ジャケット１３１）を冷却することによって、各固体光源を冷却する。
【００２９】
なお、冷却ユニット１３０は、各固体光源以外にも、電源ユニット１２０や光変調素子（後述するＤＭＤ５００）を冷却するように構成されている。
【００３０】
色分離合成ユニット１４０は、赤固体光源から出射された赤成分光Ｒ、緑固体光源から出射された緑成分光Ｇ、青固体光源から出射された青成分光Ｂを合成する。また、色分離合成ユニット１４０は、赤成分光Ｒ、緑成分光Ｇ及び青成分光Ｂを含む合成光を分離して、赤成分光Ｒ、緑成分光Ｇ及び青成分光Ｂを変調する。さらに、色分離合成ユニット１４０は、赤成分光Ｒ、緑成分光Ｇ及び青成分光Ｂを再合成して、映像光を投写ユニット１５０に出射する。色分離合成ユニット１４０の詳細については後述する（図５を参照）。
【００３１】
投写ユニット１５０は、色分離合成ユニット１４０から出射された光（映像光）を投写面３００に投写する。具体的には、投写ユニット１５０は、色分離合成ユニット１４０から出射された光を投写面３００上に投写する投写レンズ群（図５に示す投写レンズ群１５１）と、投写レンズ群から出射された光を投写面３００側に反射する反射ミラー（図５に示す凹面ミラー１５２）とを有する。投写ユニット１５０の詳細については後述する。
【００３２】
投写面側凹部１６０Ａ及び投写面側凹部１６０Ｂは、投写面側側壁２１０に設けられており、筐体２００の内側に窪む形状を有する。投写面側凹部１６０Ａ及び投写面側凹部１６０Ｂは、筐体２００の端まで延びている。投写面側凹部１６０Ａ及び投写面側凹部１６０Ｂには、筐体２００の内側に連通する通気口が設けられる。
【００３３】
第１実施形態では、投写面側凹部１６０Ａ及び投写面側凹部１６０Ｂは、筐体２００の幅方向に沿って延びている。例えば、投写面側凹部１６０Ａには、筐体２００の外側の空気を筐体２００の内側に入れるための吸気口が通気口として設けられる。投写面側凹部１６０Ｂには、筐体２００の内側の空気を筐体２００の外側に出すための排気口が通気口として設けられる。
【００３４】
前面側凸部１７０は、前面側側壁２２０に設けられており、筐体２００の外側に張り出す形状を有する。前面側凸部１７０は、筐体２００の幅方向において、前面側側壁２２０の略中央に設けられる。筐体２００の内側において前面側凸部１７０によって形成される空間には、投写ユニット１５０に設けられた反射ミラー（図５に示す凹面ミラー１５２）が収容される。
【００３５】
天板凹部１８０は、天板２４０に設けられており、筐体２００の内側に窪む形状を有する。天板凹部１８０は、投写面３００側に向けて下る傾斜面１８１を有する。傾斜面１８１は、投写ユニット１５０から出射された光を投写面３００側に透過する透過領域１８５を有する。
【００３６】
ケーブル端子１９０は、第１側面側側壁２５０に設けられており、電源端子や映像端子などの端子である。なお、ケーブル端子１９０は、第２側面側側壁２６０に設けられていてもよい。
【００３７】
投写距離設定部７００は、投写面側側壁２１０に設けられており、壁面４２０に向かって段階的に延伸する構成を有する。投写距離設定部７００が延伸する長さは、投写面３００が所定の寸法となるように設定されている。すなわち、投写距離設定部７００を調整することにより、容易に、所定寸法の矩形の投写映像を、投写面３００に投写することができるように構成されている。
【００３８】
投写面側遮光板８００は、天板２４０に設けられており、透過領域１８５よりも投写面３００側に設けられる。また、投写面側遮光板８００は、投写面３００に平行な水平方向（筐体２００の幅方向）に沿った形状を有する。投写面側遮光板８００は、遮光部材（例えば、黒の板金やアクリル板）によって形成されており、透過領域１８５を透過した光のうち、映像を構成する光以外の不要光を遮光するように構成される。
【００３９】
（筐体の幅方向における各ユニットの配置）
以下において、第１実施形態に係る幅方向における各ユニットの配置について、図面を参照しながら説明する。図３は、第１実施形態に係る投写型映像表示装置１００を上方から見た図である。
【００４０】
図３に示すように、投写ユニット１５０は、投写面３００に平行な水平方向（筐体２００の幅方向）において、筐体２００の略中央に配置される。
【００４１】
光源ユニット１１０及び冷却ユニット１３０は、筐体２００の幅方向において、投写ユニット１５０と並んで配置される。具体的には、光源ユニット１１０は、筐体２００の幅方向において、投写ユニット１５０の一方（第２側面側側壁２６０側）に並んで配置される。冷却ユニット１３０は、筐体２００の幅方向において、投写ユニット１５０の他方（第１側面側側壁２５０側）に並んで配置される。
【００４２】
電源ユニット１２０は、筐体２００の幅方向において、投写ユニット１５０と並んで配置される。具体的には、電源ユニット１２０は、筐体２００の幅方向において、投写ユニット１５０に対して光源ユニット１１０側に並んで配置される。電源ユニット１２０は、投写ユニット１５０と光源ユニット１１０との間に配置されることが好ましい。
【００４３】
（光源ユニットの構成）
以下において、第１実施形態に係る光源ユニットの構成について、図面を参照しながら説明する。図４は、第１実施形態に係る光源ユニット１１０を示す図である。
【００４４】
図４に示すように、光源ユニット１１０は、複数の赤固体光源１１１Ｒ、複数の緑固体光源１１１Ｇ及び複数の青固体光源１１１Ｂによって構成される。
【００４５】
赤固体光源１１１Ｒは、上述したように、赤成分光Ｒを出射するＬＤなどの赤固体光源である。赤固体光源１１１Ｒは、ヘッド１１２Ｒを有しており、ヘッド１１２Ｒには、光ファイバー１１３Ｒが接続される。
【００４６】
各赤固体光源１１１Ｒのヘッド１１２Ｒに接続された光ファイバー１１３Ｒは、バンドル部１１４Ｒで束ねられる。すなわち、各赤固体光源１１１Ｒから出射された光は、各光ファイバー１１３Ｒによって伝達されて、バンドル部１１４Ｒに集められる。
【００４７】
赤固体光源１１１Ｒは、冷却ジャケット１３１Ｒに載置される。例えば、赤固体光源１１１Ｒは、ネジ止めなどによって冷却ジャケット１３１Ｒに固定される。赤固体光源１１１Ｒは、冷却ジャケット１３１Ｒによって冷却される。
【００４８】
緑固体光源１１１Ｇは、上述したように、緑成分光Ｇを出射するＬＤなどの緑固体光源である。緑固体光源１１１Ｇは、ヘッド１１２Ｇを有しており、ヘッド１１２Ｇには、光ファイバー１１３Ｇが接続される。
【００４９】
各緑固体光源１１１Ｇのヘッド１１２Ｇに接続された光ファイバー１１３Ｇは、バンドル部１１４Ｇで束ねられる。すなわち、各緑固体光源１１１Ｇから出射された光は、各光ファイバー１１３Ｇによって伝達されて、バンドル部１１４Ｇに集められる。
【００５０】
緑固体光源１１１Ｇは、冷却ジャケット１３１Ｇに載置される。例えば、緑固体光源１１１Ｇは、ネジ止めなどによって冷却ジャケット１３１Ｇに固定される。緑固体光源１１１Ｇは、冷却ジャケット１３１Ｇによって冷却される。
【００５１】
青固体光源１１１Ｂは、上述したように、青成分光Ｂを出射するＬＤなどの青固体光源である。青固体光源１１１Ｂは、ヘッド１１２Ｂを有しており、ヘッド１１２Ｂには、光ファイバー１１３Ｂが接続される。
【００５２】
各青固体光源１１１Ｂのヘッド１１２Ｂに接続された光ファイバー１１３Ｂは、バンドル部１１４Ｂで束ねられる。すなわち、各青固体光源１１１Ｂから出射された光は、各光ファイバー１１３Ｂによって伝達されて、バンドル部１１４Ｂに集められる。
【００５３】
青固体光源１１１Ｂは、冷却ジャケット１３１Ｂに載置される。例えば、青固体光源１１１Ｂは、ネジ止めなどによって冷却ジャケット１３１Ｂに固定される。青固体光源１１１Ｂは、冷却ジャケット１３１Ｂによって冷却される。
【００５４】
（色分離合成ユニット及び投写ユニットの構成）
以下において、第１実施形態に係る色分離合成ユニット及び投写ユニットの構成について、図面を参照しながら説明する。図５は、第１実施形態に係る色分離合成ユニット１４０及び投写ユニット１５０を示す図である。第１実施形態では、ＤＭＤ（Ｄｉｇｉｔａｌ  Ｍｉｃｒｏｍｉｒｒｏｒ  Ｄｅｖｉｃｅ）に対応する投写型映像表示装置１００を例示する。
【００５５】
図５に示すように、色分離合成ユニット１４０は、第１ユニット１４１と、第２ユニット１４２とを有する。
【００５６】
第１ユニット１４１は、赤成分光Ｒ、緑成分光Ｇ及び青成分光Ｂを合成して、赤成分光Ｒ、緑成分光Ｇ及び青成分光Ｂを含む合成光を第２ユニット１４２に出射する。
【００５７】
具体的には、第１ユニット１４１は、複数のロッドインテグレータ（ロッドインテグレータ１０Ｒ、ロッドインテグレータ１０Ｇ及びロッドインテグレータ１０Ｂ）と、レンズ群（レンズ２１Ｒ、レンズ２１Ｇ、レンズ２１Ｂ、レンズ２２、レンズ２３）と、ミラー群（ミラー３１、ミラー３２、ミラー３３、ミラー３４及びミラー３５）とを有する。
【００５８】
ロッドインテグレータ１０Ｒは、光入射面と、光出射面と、光入射面の外周から光出射面の外周に亘って設けられる光反射側面とを有する。ロッドインテグレータ１０Ｒは、バンドル部１１４Ｒで束ねられた光ファイバー１１３Ｒから出射される赤成分光Ｒを均一化する。すなわち、ロッドインテグレータ１０Ｒは、光反射側面で赤成分光Ｒを反射することによって、赤成分光Ｒを均一化する。
【００５９】
ロッドインテグレータ１０Ｇは、光入射面と、光出射面と、光入射面の外周から光出射面の外周に亘って設けられる光反射側面とを有する。ロッドインテグレータ１０Ｇは、バンドル部１１４Ｇで束ねられた光ファイバー１１３Ｇから出射される緑成分光Ｇを均一化する。すなわち、ロッドインテグレータ１０Ｇは、光反射側面で緑成分光Ｇを反射することによって、緑成分光Ｇを均一化する。
【００６０】
ロッドインテグレータ１０Ｂは、光入射面と、光出射面と、光入射面の外周から光出射面の外周に亘って設けられる光反射側面とを有する。ロッドインテグレータ１０Ｂは、バンドル部１１４Ｂで束ねられた光ファイバー１１３Ｂから出射される青成分光Ｂを均一化する。すなわち、ロッドインテグレータ１０Ｂは、光反射側面で青成分光Ｂを反射することによって、青成分光Ｂを均一化する。
【００６１】
なお、ロッドインテグレータ１０Ｒ、ロッドインテグレータ１０Ｇ及びロッドインテグレータ１０Ｂは、光反射側面がミラー面によって構成された中空ロッドであってもよい。また、ロッドインテグレータ１０Ｒ、ロッドインテグレータ１０Ｇ及びロッドインテグレータ１０Ｂは、ガラスなどによって構成された中実ロッドであってもよい。
【００６２】
ここで、ロッドインテグレータ１０Ｒ、ロッドインテグレータ１０Ｇ及びロッドインテグレータ１０Ｂは、投写面３００に略平行な水平方向（筐体２００の幅方向）に沿って延びる柱状形状を有する。すなわち、ロッドインテグレータ１０Ｒは、ロッドインテグレータ１０Ｒの長手方向が筐体２００の略幅方向に沿うように配置される。同様に、ロッドインテグレータ１０Ｇ及びロッドインテグレータ１０Ｂは、ロッドインテグレータ１０Ｇ及びロッドインテグレータ１０Ｂの長手方向が筐体２００の略幅方向に沿うように配置される。
【００６３】
レンズ２１Ｒは、赤成分光ＲがＤＭＤ５００Ｒに照射されるように、赤成分光Ｒを略平行光化するレンズである。レンズ２１Ｇは、緑成分光ＧがＤＭＤ５００Ｇに照射されるように、緑成分光Ｇを略平行光化するレンズである。レンズ２１Ｂは、青成分光ＢがＤＭＤ５００Ｂに照射されるように、青成分光Ｂを略平行光化するレンズである。
【００６４】
レンズ２２は、赤成分光Ｒ及び緑成分光Ｇの拡大を抑制しながら、ＤＭＤ５００Ｒ及びＤＭＤ５００Ｇ上に赤成分光Ｒ及び緑成分光Ｇを略結像するためのレンズである。レンズ２３は、青成分光Ｂの拡大を抑制しながら、青成分光ＢをＤＭＤ５００Ｂに略結像するためのレンズである。
【００６５】
ミラー３１は、ロッドインテグレータ１０Ｒから出射された赤成分光Ｒを反射する。ミラー３２は、ロッドインテグレータ１０Ｇから出射された緑成分光Ｇを反射して、赤成分光Ｒを透過するダイクロイックミラーである。ミラー３３は、ロッドインテグレータ１０Ｂから出射された青成分光Ｂを透過して、赤成分光Ｒ及び緑成分光Ｇを反射するダイクロイックミラーである。
【００６６】
ミラー３４は、赤成分光Ｒ、緑成分光Ｇ及び青成分光Ｂを反射する。ミラー３５は、赤成分光Ｒ、緑成分光Ｇ及び青成分光Ｂを第２ユニット１４２側に反射する。なお、図５では、説明を簡易にするために、各構成が平面図で示されているが、ミラー３５は、赤成分光Ｒ、緑成分光Ｇ及び青成分光Ｂを高さ方向において斜めに反射する。
【００６７】
第２ユニット１４２は、赤成分光Ｒ、緑成分光Ｇ及び青成分光Ｂを含む合成光を分離して、赤成分光Ｒ、緑成分光Ｇ及び青成分光Ｂを変調する。第２ユニット１４２は、続いて、赤成分光Ｒ、緑成分光Ｇ及び青成分光Ｂを再合成して、映像光を投写ユニット１５０側に出射する。
【００６８】
具体的には、第２ユニット１４２は、レンズ４０と、プリズム５０と、プリズム６０と、プリズム７０と、プリズム８０と、プリズム９０と、複数のＤＭＤ；Ｄｉｇｉｔａｌ  Ｍｉｃｒｏｍｉｒｒｏｒ  Ｄｅｖｉｃｅ（ＤＭＤ５００Ｒ、ＤＭＤ５００Ｇ及びＤＭＤ５００Ｂ）とを有する。
【００６９】
レンズ４０は、各色成分光が各ＤＭＤに照射されるように、第１ユニット１４１から出射された光を略平行光化するレンズである。
【００７０】
プリズム５０は、透光性部材によって構成されており、面５１及び面５２を有する。プリズム５０（面５１）とプリズム６０（面６１）との間にはエアギャップが設けられており、第１ユニット１４１から出射される光が面５１に入射する角度（入射角）が全反射角よりも大きいため、第１ユニット１４１から出射される光は面５１で反射される。一方で、プリズム５０（面５２）とプリズム７０（面７１）との間にはエアギャップが設けられるが、第１ユニット１４１から出射される光が面５２に入射する角度（入射角）が全反射角よりも小さいため、面５１で反射された光は面５２を透過する。
【００７１】
プリズム６０は、透光性部材によって構成されており、面６１を有する。
【００７２】
プリズム７０は、透光性部材によって構成されており、面７１及び面７２を有する。プリズム５０（面５２）とプリズム７０（面７１）との間にはエアギャップが設けられており、面７２で反射された青成分光Ｂ及びＤＭＤ５００Ｂから出射された青成分光Ｂが面７１に入射する角度（入射角）が全反射角よりも大きいため、面７２で反射された青成分光Ｂ及びＤＭＤ５００Ｂから出射された青成分光Ｂは面７１で反射される。
【００７３】
面７２は、赤成分光Ｒ及び緑成分光Ｇを透過して、青成分光Ｂを反射するダイクロイックミラー面である。従って、面５１で反射された光のうち、赤成分光Ｒ及び緑成分光Ｇは面７２を透過し、青成分光Ｂは面７２で反射される。面７１で反射された青成分光Ｂは面７２で反射される。
【００７４】
プリズム８０は、透光性部材によって構成されており、面８１及び面８２を有する。プリズム７０（面７２）とプリズム８０（面８１）との間にはエアギャップが設けられており、面８１を透過して面８２で反射された赤成分光Ｒ及びＤＭＤ５００Ｒから出射された赤成分光Ｒが再び面８１に入射する角度（入射角）が全反射角よりも大きいため、面８１を透過して面８２で反射された赤成分光Ｒ及びＤＭＤ５００Ｒから出射された赤成分光Ｒは面８１で反射される。一方で、ＤＭＤ５００Ｒから出射されて面８１で反射された後に面８２で反射された赤成分光Ｒが再び面８１に入射する角度（入射角）が全反射角よりも小さいため、ＤＭＤ５００Ｒから出射されて面８１で反射された後に面８２で反射された赤成分光Ｒは面８１を透過する。
【００７５】
面８２は、緑成分光Ｇを透過して、赤成分光Ｒを反射するダイクロイックミラー面である。従って、面８１を透過した光のうち、緑成分光Ｇは面８２を透過し、赤成分光Ｒは面８２で反射される。面８１で反射された赤成分光Ｒは面８２で反射される。ＤＭＤ５００Ｇから出射された緑成分光Ｇは面８２を透過する。
【００７６】
ここで、プリズム７０は、赤成分光Ｒ及び緑成分光Ｇを含む合成光と青成分光Ｂとを面７２によって分離する。プリズム８０は、赤成分光Ｒと緑成分光Ｇとを面８２によって分離する。すなわち、プリズム７０及びプリズム８０は、各色成分光を分離する色分離素子として機能する。
【００７７】
なお、第１実施形態では、プリズム７０の面７２のカットオフ波長は、緑色に相当する波長帯と青色に相当する波長帯との間に設けられる。プリズム８０の面８２のカットオフ波長は、赤色に相当する波長帯と緑色に相当する波長帯との間に設けられる。
【００７８】
一方で、プリズム７０は、赤成分光Ｒ及び緑成分光Ｇを含む合成光と青成分光Ｂとを面７２によって合成する。プリズム８０は、赤成分光Ｒと緑成分光Ｇとを面８２によって合成する。すなわち、プリズム７０及びプリズム８０は、各色成分光を合成する色合成素子として機能する。
【００７９】
プリズム９０は、透光性部材によって構成されており、面９１を有する。面９１は、緑成分光Ｇを透過するように構成されている。なお、ＤＭＤ５００Ｇへ入射する緑成分光Ｇ及びＤＭＤ５００Ｇから出射された緑成分光Ｇは面９１を透過する。
【００８０】
ＤＭＤ５００Ｒ、ＤＭＤ５００Ｇ及びＤＭＤ５００Ｂは、複数の微少ミラーによって構成されており、複数の微少ミラーは可動式である。各微少ミラーは、基本的に１画素に相当する。ＤＭＤ５００Ｒは、各微少ミラーの角度を変更することによって、投写ユニット１５０側に赤成分光Ｒを反射するか否かを切り替える。同様に、ＤＭＤ５００Ｇ及びＤＭＤ５００Ｂは、各微少ミラーの角度を変更することによって、投写ユニット１５０側に緑成分光Ｇ及び青成分光Ｂを反射するか否かを切り替える。
【００８１】
投写ユニット１５０は、投写レンズ群１５１と、凹面ミラー１５２とを有する。
【００８２】
投写レンズ群１５１は、色分離合成ユニット１４０から出射された光（映像光）を凹面ミラー１５２側に出射する。
【００８３】
凹面ミラー１５２は、投写レンズ群１５１から出射された光（映像光）を反射する。凹面ミラー１５２は、映像光を集光した上で、映像光を広角化する。例えば、凹面ミラー１５２は、投写レンズ群１５１側に凹面を有する非球面ミラーである。
【００８４】
凹面ミラー１５２で集光された映像光は、天板２４０に設けられた天板凹部１８０の傾斜面１８１に設けられた透過領域を透過する。傾斜面１８１に設けられた透過領域は、凹面ミラー１５２によって映像光が集光される位置近傍に設けられることが好ましい。
【００８５】
凹面ミラー１５２は、上述したように、前面側凸部１７０によって形成される空間に収容される。例えば、凹面ミラー１５２は、前面側凸部１７０の内側に固定されることが好ましい。また、前面側凸部１７０の内側面の形状は、凹面ミラー１５２に沿った形状であることが好ましい。
【００８６】
（投写距離設定部の構成）
以下において、第１実施形態に係る投写距離設定部の構成について、図面を参照しながら説明する。図６は、第１実施形態に係る投写距離設定部７００の構成を示す図である。
【００８７】
図６に示すように、投写型映像表示装置１００は、投写面側側壁２１０に投写距離設定部７００を有する。
【００８８】
投写距離設定部７００は、投写面側側壁２１０の下部であって、筐体２００の幅方向において可及的に離れた位置に、２つの延伸部材７１０および７２０を有する。ここでは、延伸部材７１０、７２０が、３段階で延伸する例について説明する。
【００８９】
図６（ａ）は、延伸部材７１０、７２０が、全長にわたって、筐体２００内部に納められている状態を示す図である。この場合、投写面側側壁２１０は、全面にわたって、壁面４２０に隣接するように、投写型映像表示装置１００を設置することができる。投写面側側壁２１０と壁面４２０とが隣接するように投写型映像表示装置１００を設置した場合、壁面４２０上の投写面３００寸法は、例えば、１００インチとなるように、投写ユニット１５０を設計する。
【００９０】
図６（ｂ）は、延伸部材７１０、７２０の、第１延伸部７１１、７２１が、筐体２００から投写面側壁２１０に対して垂直な方向に延伸した状態を示す図である。この場合、投写型映像表示装置１００は、壁面４２０から投写面側側壁２１０までの距離が第１延伸部７１１、７２１の長さに相当する分、離れた位置に設置される。これにより、投写面３００の寸法は大きくなる。言い換えれば、第１延伸部７１１、７２１の長さは、投写面３００の寸法が、例えば、１２０インチとなる投写型映像表示装置１００の設置位置に相当する長さに設定する。
【００９１】
図６（ｃ）は、延伸部材７１０、７２０の、第１延伸部７１１、７２１、第２延伸部７１２、７２２および第３延伸部７１３、７２３が、筐体２００から投写面側壁２１０に対して垂直な方向に延伸した状態を示す図である。第１延伸部７１１、７２１と同様に、第２延伸部７１２、７２２の長さは、投写面３００の寸法が、例えば、１４０インチとなる投写型映像表示装置１００の設置位置に相当する長さに設定する。さらに、第３延伸部７１３、７２３の長さは、投写面３００の寸法が、例えば、１６０インチとなる投写型映像表示装置１００の設置位置に相当する長さに設定する。
【００９２】
（作用及び効果）
第１実施形態では、筐体２００には、投写面側側壁２１０から第１配置面である壁面４２０までの距離を設定する投写距離設定部７００が設けられる。すなわち、延伸部材７１０および７２０を延伸させ、延伸部材７１０、７２０それぞれの先端部分が、壁面４２０に接するように、投写型映像表示装置１００を壁面４２０に対して設置することにより、壁面４２０に設けられた投写面３００の寸法を任意に変更することができる。
【００９３】
逆に、壁面４２０に、所定の寸法の投写面（スクリーン）３００が設けられている場合、投写面３００の寸法に合うように、投写距離設定部７００にて、投写型映像表示装置１００から壁面４２０までの距離を調整すればよい。
【００９４】
加えて、投写距離設定部７００は、筐体２００の幅方向において可及的に離れた位置に設けられた延伸部材７１０および７２０を有しているので、壁面４２０(投写面３００)との平行度を設定しやすい。特に、本構成の投写型映像表示装置１００は、筐体２００の幅方向の寸法が大きいので、平行度を精度良く設定することができ、投写面に投写される投写映像を、矩形に近づけることが容易である。具体的には、筐体２００の幅方向の寸法が、延伸部材７１０、７２０の全長、すなわち、投写型映像表示装置１００（投写面側側壁２１０）から壁面４２０までの距離以上となる場合、効果的である。
【００９５】
〔変形例１〕
以下において、第１実施形態の変形例１について、図面を参照しながら説明する。以下においては、第１実施形態との相違点について主として説明する。図７は、変形例１に係る投写型映像表示装置１００を示す斜視図である。
【００９６】
具体的には、変形例１では、筐体２００は、第１筐体２０１及び第２筐体２０２によって構成される。第１筐体２０１は、第２筐体２０２とは別体として設けられている。
【００９７】
（筐体の構成）
図７に示すように、第１筐体２０１は、光源ユニット１１０と、電源ユニット１２０と、色分離合成ユニット１４０と、投写ユニット１５０とを収容する。第１筐体２０１は、投写面側側壁２１０、前面側側壁２２０、底面板２３０及び天板２４０の一部分によって構成される。また、第１筐体２０１は、第２側面側側壁２６０及び第２筐体側側壁２７１によって構成される。
【００９８】
第２筐体側側壁２７１は、投写面に平行な水平方向（筐体２００の幅方向）において、第２筐体２０２（冷却ユニット１３０）側に設けられた側壁である。第２筐体側側壁２７１は、第１筐体２０１に第２筐体２０２（冷却ユニット１３０）を連結する連結部６１０を有する。
【００９９】
連結部６１０は、筒状の形状を有する。具体的には、連結部６１０は、投写面に略垂直な断面において、円形形状の断面を有する。すなわち、連結部６１０の断面は、投写面に略水平方向の軸を中心とする円形形状である。
【０１００】
ここで、上述した投写ユニット１５０は、投写面３００に平行な水平方向（筐体２００の幅方向）において、第２筐体側側壁２７１側に偏った位置に収容される。なお、投写ユニット１５０は、第１筐体２０１及び第２筐体２０２が並べて配置された状態において、第１筐体２０１及び第２筐体２０２の略中央、すなわち、筐体２００の略中央に配置される。
【０１０１】
第２筐体２０２は、冷却ユニット１３０を収容する。第２筐体２０２は、投写面側側壁２１０、前面側側壁２２０、底面板２３０及び天板２４０の残り部分によって構成される。また、第２筐体２０２は、第１側面側側壁２５０及び第１筐体側側壁２７２によって構成される。
【０１０２】
第１筐体側側壁２７２は、第２筐体２０２に第１筐体２０１（例えば、光源ユニット１１０）を連結する連結部６２０を有する。
【０１０３】
連結部６２０は、筒状の形状を有する。具体的には、連結部６２０は、投写面に略垂直な断面において、円形形状の断面を有する。すなわち、連結部６２０の断面は、投写面に略水平方向の軸を中心とする円形形状である。
【０１０４】
なお、連結部６１０及び連結部６２０は、筒状のダクト（不図示）によって連結されてもよい。例えば、ダクトの外径は、連結部６１０及び連結部６２０の内径と略等しい。ここで、連結部６１０、連結部６２０及び筒状のダクトは、冷却ユニット１３０で冷却された空気の流路（導入路）を有する。また、連結部６１０、連結部６２０及び筒状のダクトは、第１筐体２０１で暖められた空気の流路（排出路）を有する。
【０１０５】
連結部６１０及びダクトのそれぞれは、径方向外側に張り出すフランジを有する。連結部６１０及びダクトのそれぞれに設けられたフランジは、クランプによって挟まれる。同様に、連結部６２０及びダクトのそれぞれは、径方向外側に張り出すフランジを有する。連結部６２０及びダクトのそれぞれに設けられたフランジは、クランプによって挟まれる。なお、両フランジの間にＯリングを設けることによって、気密性が高められてもよい。
【０１０６】
このように、筐体２００は、第１筐体２０１と第２筐体２０２とに分離可能であり、筒状のダクトは、連結部６１０及び連結部６２０に対して回動可能に構成されている。
【０１０７】
（投写距離設定部の構成）
上記のような構成の筐体２００の場合、投写距離設定部７００は、第１筐体２０１側の投写面側側壁２１０の下部であって、第１筐体２０１の幅方向において可及的に離れた位置に、２つの延伸部材７３０および７４０を設ける。ここでは、延伸部材７３０、７４０が、折りたたみ式であって２段階で延伸する例について説明する。
【０１０８】
図８（ａ）は、延伸部材７３０、７４０が、全長にわたって、第１筐体２０１の投写面側側壁２１０に納められている状態を示す図である。この場合、投写面側側壁２１０は、全面にわたって、壁面４２０に隣接するように、投写型映像表示装置１００を設置することができる。投写面側側壁２１０と壁面４２０とが隣接するように投写型映像表示装置１００を設置した場合、壁面４２０上の投写面３００寸法は、例えば、１００インチとなるように、投写ユニット１５０を設計する。
【０１０９】
図８（ｂ）は、延伸部材７３０、７４０の第１延伸部７３１、７４１を、筐体２００から投写面側壁２１０に対して垂直な方向に引き出した状態を示す図である。第１延伸部７３１、７４１は、その一端が投写面側壁２１０の下端において、投写面側壁２１０に対して垂直な方向まで回動自在に枢支されている。この場合、投写型映像表示装置１００は、壁面４２０から投写面側側壁２１０までの距離が第１延伸部７３１、７４１の長さに相当する分、離れた位置に設置される。これにより、投写面３００の寸法は大きくなる。言い換えれば、第１延伸部７３１、７４１の長さは、投写面３００の寸法が、例えば、１２５インチとなる投写型映像表示装置１００の設置位置に相当する長さに設定する。
【０１１０】
図８（ｃ）は、第２延伸部７３２、７４２を、第１延伸部７３１、７４１から更に折り返し、筐体２００から投写面側壁２１０に対して垂直な方向に引き出した状態を示す図である。第１延伸部７３１、７４１と同様に、第２延伸部７３２、７４２の長さは、投写面３００の寸法が、例えば、１５０インチとなる投写型映像表示装置１００の設置位置に相当する長さに設定する。
【０１１１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１２】
第１実施形態では、筐体２００が配置される壁面４２０上に投写面３００が設けられるが、実施形態はこれに限定されるものではない。投写面３００は、筐体２００から離れる方向において、壁面４２０よりも奥まった位置に設けられてもよい。
【０１１３】
第１実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、透過型の液晶パネルであってもよく、反射型の液晶パネルであってもよい。
【符号の説明】
【０１１４】
１０…ロッドインテグレータ、２１〜２３…レンズ、３１〜３５…ミラー、４０…レンズ、５０…プリズム、６０…プリズム、７０…プリズム、８０…プリズム、９０…プリズム、１００…投写型映像表示装置、１１０…光源ユニット、１１１…固体光源、１１２…ヘッド、１１３…光ファイバー、１１４…バンドル部、１２０…電源ユニット、１３０…冷却ユニット、１３１…冷却ジャケット、１４０…色分離合成ユニット、１４１…第１ユニット、１４２…第２ユニット、１５０…投写ユニット、１５１…投写レンズ群、１５２…凹面ミラー、１６０…投写面側凹部、１７０…前面側凸部、１８０…天板凹部、１８１…傾斜面、１９０…ケーブル端子、２００…筐体、２０１…第１筐体、２０２…第２筐体、２１０…投写面側側壁、２２０…前面側側壁、２３０…底面板、２４０…天板、２５０…第１側面側側壁、２６０…第２側面側側壁、２７１…第２筐体側側壁、２７２…第１筐体側側壁、３００…投写面、４１０…床面、４２０…壁面、５００…ＤＭＤ、６１０、６２０…連結部、７００…投写距離設定部、７１０、７２０、７３０、７４０…延伸部材、８００…投写面側遮光部
【図１】
2010276863.tif 000003
【図２】
2010276863.tif 000004
【図３】
2010276863.tif 000005
【図４】
2010276863.tif 000006
【図５】
2010276863.tif 000007
【図６】
2010276863.tif 000008
【図７】
2010276863.tif 000009
【図８】
2010276863.tif 000010